(57)【要約】      （修正有）【課題】回転又は上下に移動することで支持平面に吸着させ、押されたり落とされたりしにくい磁気ホルダを提供する。【解決手段】磁気ホルダ１００は、上蓋１１０と、上蓋１１０が上下に摺動可能に組み立てられるベース１２０と、回転凸部内に同軸に配置されるように位置限定される中心磁石１３０と、上下に摺動可能に中心磁石１３０と同軸に配置されるストッパ部材１４０と、ベース１２０の他側に設けられ、その中心に通気口１５１がある吸盤１５０と、ストッパ部材１４０と同軸に配置され、且つ中心に通気口１５１と連通しストッパ部材１４０に接続される空気流通路が開設されるサポート１６０と、中心磁石１３０と同心に配置されるリング磁石１７０と、を備える。これにより、磁気ホルダ１００は、上蓋１１０を押し下げ又は引き上げることで、空気流通路を開閉するようにストッパ部材１４０を連動させて、磁気ホルダ１００を吸着状態又は非吸着状態にする。【選択図】図２
0003229796.tif 000002
【実用新案登録請求の範囲】
【請求項１】
中心に位置する回転凸部を含む上蓋と、
前記上蓋が上下に摺動可能に組み立てられ、且つ中心に開口部があるベースと、
前記回転凸部内に同軸に配置されるように位置限定される中心磁石と、
上下に摺動可能に前記中心磁石と同軸に配置され、且つ前記中心磁石と前記上蓋との間に位置するストッパ部材と、
前記ベースの他側に設けられ、中心に通気口がある吸盤と、
前記ストッパ部材と同軸に配置され、前記ストッパ部材と前記吸盤との間に位置し、且つ中心に前記通気口と連通し前記ストッパ部材に接続される空気流通路が開設されるサポートと、
前記上蓋の一側に設けられ、且つ前記中心磁石と同心に配置されるリング磁石と、
を備える磁気ホルダ。
【請求項２】
前記ストッパ部材は、複数のフックを有する請求項１に記載の磁気ホルダ。
【請求項３】
前記吸盤は、前記吸盤の中心に設けられ、前記吸盤を前記上蓋に位置決めし且つ前記サポートに接続されるための吸盤サポートを含む請求項１に記載の磁気ホルダ。
【請求項４】
前記回転凸部は、前記ストッパ部材の前記フックを前記回転凸部に係合させるための複数の凹溝を含む請求項２に記載の磁気ホルダ。
【請求項５】
前記上蓋は、前記回転凸部と同心に配置され、且つ前記リング磁石を位置限定して設けるための環状凹部を更に含む請求項１に記載の磁気ホルダ。
【請求項６】
前記リング磁石の上方に設けられる最上層を更に備える請求項１に記載の磁気ホルダ。
【請求項７】
上蓋の中心に位置する回転凸部と、前記回転凸部を囲んで前記上蓋の周縁に設けられる少なくとも１つの固定ポストと、前記上蓋の周縁に設けられ且つ前記少なくとも１つの固定ポストに接続され、前記少なくとも１つの固定ポストと前記回転凸部との間に位置する少なくとも１つのスプリングポストと、を含む上蓋と、
前記開口部を囲んで前記ベースの周縁に設けられる少なくとも１つのスロープと、前記ベースの周縁に設けられ且つ前記少なくとも１つのスロープと前記開口部との間に位置する少なくとも２つの固定スプリングポストと、を含み、前記上蓋が上下に摺動可能に組み立てられ、且つ中心に開口部があるベースと、
前記回転凸部内に同軸に配置されるように位置限定される中心磁石と、
上下に摺動可能に前記中心磁石と同軸に配置され、且つ前記中心磁石と前記上蓋との間に位置するストッパ部材と、
前記ベースの他側に設けられ、中心に通気口がある吸盤と、
前記ストッパ部材と同軸に配置され、前記ストッパ部材と前記吸盤との間に位置し、且つ中心に前記通気口と連通し前記ストッパ部材を接続する空気流通路が開設されるサポートと、
前記上蓋の一側に設けられ、且つ前記中心磁石と同心に配置されるリング磁石と、
を備える磁気ホルダ。
【請求項８】
前記ストッパ部材は、複数のフックを有する請求項７に記載の磁気ホルダ。
【請求項９】
前記吸盤の中心に設けられ、前記吸盤を前記上蓋に位置決めし且つ前記サポートに接続されるための吸盤サポートを含む請求項７に記載の磁気ホルダ。
【請求項１０】
前記回転凸部は、前記ストッパ部材の前記フックを前記回転凸部に係合させるための複数の凹溝を含む請求項８に記載の磁気ホルダ。
【請求項１１】
前記上蓋は、前記回転凸部と同心に配置され、且つ前記リング磁石を位置限定して設けるための環状凹部を更に含む請求項７に記載の磁気ホルダ。
【請求項１２】
前記リング磁石の上方に設けられる最上層を更に備える請求項７に記載の磁気ホルダ。
【請求項１３】
前記少なくとも１つのスロープは、その両端に設けられる２つのブロッキングブロックを有する請求項７に記載の磁気ホルダ。
【考案の詳細な説明】
【技術分野】
【０００１】
本考案は、磁気ホルダに関し、特に、滑らかな表面及び金属表面に吸着可能な磁気ホルダに関する。
【背景技術】
【０００２】
従来の吸盤は、取り付けが速く、設置される物体の表面を損なうことはなく、吸着位置を簡単に変更することができるというメリットがあり、物体の安定性を高めて外力の激しい振盪により倒れないように、例えば、机、タイルの壁、ガラス等の平らな表面に物体を固定するために用いられることが多い。
【考案の概要】
【考案が解決しようとする課題】
【０００３】
ほとんどの吸盤は、推力で又は吸盤内に負圧を形成するように、吸盤の吸引力を増加させるが、吸盤の吸引力を解除するには、吸盤の縁部を引くか、反対方向に強い力で引き上げて空気を吸盤内に入れて、吸盤を脱落させるが、このような吸盤と吸引面との間の吸引力が不十分であり、長時間固定することが難しいという問題がある。
【０００４】
近年、ある業者により、底部に吸盤が取り付けられるカップが開発されてきた。カップを下げたり上げたりすることで、カップの底部の空気が出入し、更に吸盤が机に吸着し又は吸着機能を失うが、その強度として、吸盤の材料の硬化、変形、弾性の喪失に伴い、吸盤の真空効果が低下又は消滅して、カップ全体を交換する必要があり、コストの損失や不要な無駄が生じる。
【０００５】
これに鑑みて、構造が簡単で、様々な物体を置き換えて配置可能な吸盤を含むホルダを如何に効果的に改善するかは、関連業界の努力する目標になっている。
【課題を解決するための手段】
【０００６】
本考案の目的の一つは、磁気ホルダを提供することにあり、磁気ホルダを回転させ又は上下に移動することで、磁気ホルダを支持平面に吸着させ、且つ押されたり落とされたりしにくいようにする。
【０００７】
本考案の目的の、別の一つは、磁気ホルダを提供することにあり、磁気ホルダの内部の大きな磁石により、磁気ホルダの一側を支持平面に吸着させる時に、他側が磁気物質を吸着することができ、より広く使用されるようにする。
【０００８】
本考案の一態様の一実施形態によれば、中心に位置する回転凸部を含む上蓋と、上蓋が上下に摺動可能に組み立てられ、且つ中心に開口部があるベースと、回転凸部内に同軸に配置されるように位置限定される中心磁石と、上下に摺動可能に中心磁石と同軸に配置され、且つ中心磁石と上蓋との間に位置するストッパ部材と、ベースの他側に設けられ、中心に通気口がある吸盤と、ストッパ部材と同軸に配置され、ストッパ部材と吸盤との間に位置し、且つ中心に通気口と連通しストッパ部材に接続される空気流通路が開設されるサポートと、上蓋の一側に設けられ、且つ中心磁石と同心に配置されるリング磁石と、を備える磁気ホルダを提供する。
【０００９】
前文に記載の磁気ホルダによれば、ストッパ部材は、複数のフックを有する。
【００１０】
前文に記載の磁気ホルダによれば、吸盤は、吸盤の中心に設けられ、吸盤を上蓋に位置決めし且つサポートに接続されるための吸盤サポートを含んでよい。
【００１１】
前文に記載の磁気ホルダによれば、回転凸部は、ストッパ部材のフックを回転凸部に係合させるための複数の凹溝を含んでよい。
【００１２】
前文に記載の磁気ホルダによれば、上蓋は、回転凸部と同心に配置され、且つリング磁石を位置限定して設けるための環状凹部を更に含んでよい。
【００１３】
前文に記載の磁気ホルダによれば、リング磁石の上方に設けられる最上層を更に備えてよい。
【００１４】
これにより、本考案の磁気ホルダは、上蓋を押し下げ又は引き上げることで、空気流通路を開閉するようにストッパ部材を連動させて、磁気ホルダを吸着状態又は非吸着状態にする。また、吸盤が滑らかな表面に吸着される時に、他側がリング磁石により磁気が生じ、磁気物質を吸着でき、磁気ホルダに多機能と多用途のメリットを持たせる。
【００１５】
本考案の一態様の別の実施形態によれば、上蓋の中心に位置する回転凸部と、回転凸部を囲んで上蓋の周縁に設けられる少なくとも１つの固定ポストと、上蓋の周縁に設けられ且つ少なくとも１つの固定ポストに接続され、少なくとも１つの固定ポストと回転凸部との間に位置する少なくとも１つのスプリングポストと、を含む上蓋と、開口部を囲んでベースの周縁に設けられる少なくとも１つのスロープと、ベースの周縁に設けられ且つ少なくとも１つのスロープと開口部との間に位置する少なくとも２つの固定スプリングポストと、を含み、上蓋が上下に摺動可能にベースに組み立てられ、且つ中心に開口部があるベースと、回転凸部内に同軸に配置されるように位置限定される中心磁石と、上下に摺動可能に中心磁石と同軸に配置され、且つ中心磁石と上蓋との間に位置するストッパ部材と、ベースの他側に設けられ、中心に通気口がある吸盤と、ストッパ部材と同軸に配置され、ストッパ部材と吸盤との間に位置し、且つ中心に通気口と連通しストッパ部材に接続される空気流通路が開設されるサポートと、上蓋の一側に設けられ、且つ中心磁石と同心に配置されるリング磁石と、を備える磁気ホルダを提供する。
【００１６】
前文に記載の磁気ホルダによれば、ストッパ部材は、複数のフックを有する。
【００１７】
前文に記載の磁気ホルダによれば、吸盤は、吸盤の中心に設けられ、吸盤を上蓋に位置決めし且つサポートに接続されるための吸盤サポートを含んでよい。
【００１８】
前文に記載の磁気ホルダによれば、回転凸部は、ストッパ部材のフックを回転凸部に係合させるための複数の凹溝を含んでよい。
【００１９】
前文に記載の磁気ホルダによれば、上蓋は、回転凸部と同心に配置され、且つリング磁石を位置限定して設けるための環状凹部を更に含んでよい。
【００２０】
前文に記載の磁気ホルダによれば、リング磁石の上方に設けられる最上層を更に含んでよい。
【００２１】
前文に記載の磁気ホルダによれば、スロープは、その両端に設けられる２つのブロッキングブロックを有する。
【考案の効果】
【００２２】
これにより、本考案の磁気ホルダは、中心磁石とリング磁石との間の作用力により、ストッパ部材を連動させて空気流通路を遮断して、吸盤に吸着能力を持たせ、且つ上蓋を回転させ磁気ホルダに異なる吸着力を持たせることができる。
【図面の簡単な説明】
【００２３】
下記図面の簡単な説明は、本考案の前記又は他の目的、特徴、メリット、実施例をより分かりやすくするためのものである。
【図１】本考案の一実施形態の一実施例による磁気ホルダを示す模式図である。
【図２】図１の実施例の磁気ホルダを示す分解図である。
【図３】図１の実施例の磁気ホルダの非吸着状態を示す断面図である。
【図４】図１の実施例の磁気ホルダの吸着状態を示す断面図である。
【図５】本考案の別の実施形態の一実施例による磁気ホルダを示す分解図である。
【図６】図５の実施例の磁気ホルダにおける上蓋とベースの反時計回りの回転状態を示す分解斜視図である。
【図７】図５の実施例の磁気ホルダにおける上蓋とベースの時計回りの回転状態を示す分解斜視図である。
【図８】図６の実施例の磁気ホルダを示す断面図である。
【図９】図７の実施例の磁気ホルダを示す断面図である。
【考案を実施するための形態】
【００２４】
以下、図面を参照して本考案の実施例を説明する。明らかに説明するために、数多くの実際の細部を下記で併せて説明する。しかしながら、これらの実際の細部は本考案を制限するためのものではないことが理解すべきである。つまり、本考案の一部の実施例において、これらの実際の細部は必要なものではない。図面を簡略化するために、ある従来慣用の構造と素子を図面において簡単に模式的に示す。また、繰り返した素子を、同一又は類似な番号で示すことがある。
【００２５】
図１及び図２を参照されたい。図１は、本考案の一実施形態の一実施例による磁気ホルダ１００を示す模式図である。図２は、図１の実施例による磁気ホルダ１００を示す分解図である。図１及び図２から分かるように、磁気ホルダ１００は、上蓋１１０と、ベース１２０と、中心磁石１３０と、ストッパ部材１４０と、吸盤１５０と、サポート１６０と、リング磁石１７０と、を備える。
【００２６】
詳しく言えば、上蓋１１０は、上蓋１１０の中心に位置する回転凸部１１１を含む。上蓋１１０は、ベース１２０に上下に摺動可能に組み立てられ、且つベース１２０の中心に開口部１２１がある。中心磁石１３０は、回転凸部１１１内に同軸に配置されるように位置限定される。ストッパ部材１４０は、上下に摺動可能に中心磁石１３０と同軸に配置され、且つ中心磁石１３０と上蓋１１０との間に位置する。吸盤１５０は、ベース１２０の他側に設けられ、中心に通気口１５１がある。サポート１６０は、ストッパ部材１４０と同軸に配置され、ストッパ部材１４０と吸盤１５０との間に位置し、その中心に通気口１５１と連通し且つストッパ部材１４０に接続される空気流通路１６１が開設される。リング磁石１７０は、上蓋１１０の一側に設けられ、且つ中心磁石１３０と同心に配置される。これにより、磁気ホルダ１００によれば、上蓋１１０を押し下げ又は引き上げることで、空気流通路１６１を開閉するようにストッパ部材１４０を連動させて、吸着状態又は非吸着状態にすることができる。
【００２７】
図２の実施例において、ストッパ部材１４０は、複数のフック１４１を有する。吸盤１５０は、吸盤１５０の中心に設けられ、吸盤１５０を上蓋１１０に位置決めするための、サポート１６０に接続される吸盤サポート１５２を含んでよい。回転凸部１１１は、ストッパ部材１４０のフック１４１を回転凸部１１１に係合させるための複数の凹溝１１２を含む。
【００２８】
また、磁気ホルダ１００は、リング磁石１７０の上方向に設けられ、物体（別に示せず）を置くことに用いられることのできる最上層１８０を更に備えてよく、上蓋１１０は、回転凸部１１１と同心に配置され且つリング磁石１７０を位置限定して設けるための環状凹部１１３を更に含んでよい。詳しく言えば、磁気ホルダ１００が吸着状態である場合、吸盤１５０の一側では、例えば、机又は壁等の如何なる支持平面（別に示せず）に吸着されることができるが、最上層１８０の一側では、リング磁石１７０が設けられるので磁気を持ち、例えば、鉄、コバルト及びニッケル等の製品等の磁気物質を吸着することができる。
【００２９】
図３及び図４を参照されたく、図３は、図１の実施例の磁気ホルダ１００の非吸着状態を示す断面図であり、図４は、図１の実施例の磁気ホルダ１００の吸着状態を示す断面図である。図３の実施例において、上蓋１１０が垂直上向きに持ち上げられると、回転凸部１１１がこれに伴い上方向に移動し、この場合、ストッパ部材１４０のフック１４１が回転凸部１１１の凹溝１１２に係合され、更にストッパ部材１４０が上蓋１１０と共に上方向に移動するように連動されて、ストッパ部材１４０がサポート１６０から脱離し、空気が空気流通路１６１を介して通気口１５１に流入し、吸盤１５０が吸着能力を失い、磁気ホルダ１００が支持平面から脱離する。
【００３０】
図４の実施例において、中心磁石１３０とリング磁石１７０との間の磁力が平衡状態にある場合、中心磁石１３０は、やや上方寄りにリング磁石１７０の中空空間に位置するが、上蓋１１０が押し下げられると、リング磁石１７０は、上蓋１１０と共に下方へ移動し、中心磁石１３０とリング磁石１７０との間の平衡状態が破壊されるので、平衡状態を回復させるために、リング磁石１７０との磁気的に釣り合う位置に到達するまで、中心磁石１３０はこれに伴って下方へ移動して、更にストッパ部材１４０を下方へ移動するように連動させて空気流通路１６１を遮断し、空気を通気口１５１から排出させて、吸盤１５０を真空状態にすることで、磁気ホルダ１００が支持平面に吸着されるようになる。
【００３１】
これにより、本考案の磁気ホルダ１００は、上蓋１１０を押し下げ又は引き上げることで、支持平面に吸着され又はそれから脱離し、この作動形態が倒れないカップホルダに適用されることができる。例として、磁気ホルダ１００の最上層１８０にカップホルダを設けることができ、カップをカップホルダに置く場合、上蓋１１０を押し下げてストッパ部材１４０を連動させて空気流通路１６１を遮断して、磁気ホルダ１００を吸着状態にし、この場合、カップが外力により倒れにくい。また、磁気ホルダ１００を他の位置に移動する必要があると、上蓋１１０を垂直上向きに引き上げ、ストッパ部材１４０のフック１４１が回転凸部１１１の凹溝１１２に係合されるため、上蓋１１０につれて上方へ移動し、磁気ホルダ１００が非吸着状態になり、如何なる支持平面にも自由に置かれることができる。
【００３２】
本考案の別の実施形態の一実施例による磁気ホルダ２００を示す分解図である図５を引き続き参照されたい。図５から分かるように、磁気ホルダ２００は、上蓋２１０と、ベース２２０と、中心磁石２３０と、ストッパ部材２４０と、吸盤２５０と、サポート２６０と、リング磁石２７０と、を備える。
【００３３】
詳しく言えば、上蓋２１０は、回転凸部２１１、少なくとも１つの固定ポスト２１４及び少なくとも１つのスプリングポスト２１５を含む。回転凸部２１１は上蓋２１０の中心に位置し、固定ポスト２１４は回転凸部２１１を囲んで上蓋２１０の周縁に設けられ、スプリングポスト２１５は上蓋２１０の周縁に設けられ固定ポスト２１４に接続され、固定ポスト２１４と回転凸部２１１との間に位置する。上蓋２１０は回転可能且つ上下に摺動可能にベース２２０に組み立てられ、且つベース２２０は、中心に開口部２２１があり、少なくとも１つのスロープ２２２及び少なくとも２つの固定スプリングポスト２２３を含む。スロープ２２２は、開口部２２１を囲んでベース２２０の周縁に設けられ、固定スプリングポスト２２３は、スロープ２２２と開口部２２１との間に位置するようにベース２２０の周縁に設けられる。中心磁石２３０は、回転凸部２１１内に同軸に配置されるように位置限定される。ストッパ部材２４０は、上下に摺動可能に中心磁石２３０と同軸に配置され、且つ中心磁石２３０と上蓋２１０との間に位置する。吸盤２５０は、ベース２２０の他側に設けられ、中心に通気口２５１がある。サポート２６０は、ストッパ部材２４０と同軸に配置され、ストッパ部材２４０と吸盤２５０との間に位置し、中心に通気口２５１と連通しストッパ部材２４０に接続される空気流通路２６１が開設され、リング磁石２７０は、上蓋２１０の一側に設けられ、且つ中心磁石２３０と同心に配置される。これにより、磁気ホルダ２００は、上蓋２１０を回転させて上下に移動させることで、異なる状態を生じさせることができる。
【００３４】
図５の実施例において、ストッパ部材２４０は、複数のフック２４１を有する。吸盤２５０は、吸盤２５０の中心に設けられ、吸盤２５０を上蓋２１０に位置決めし且つサポート２６０に接続されるための吸盤サポート２５２を含む。回転凸部２１１は、ストッパ部材２４０のフック２４１を回転凸部２１１に係合させるための複数の凹溝２１２を含む。また、図２の実施例に合わせて、図５の実施例において、磁気ホルダ２００のリング磁石２７０並びに最上層２８０の配置及び作用の何れも図２の実施例の磁気ホルダ１００の記載と同じ、ここで説明しない。以下、磁気ホルダ２００が時計回り及び反時計回りに回転する時に、上蓋２１０とベース２２０との接続関係を詳しく説明する。
【００３５】
図６及び図７を参照されたい。図６は、図５の実施例による磁気ホルダ２００における上蓋２１０とベース２２０の反時計回りの回転状態を示す分解斜視図である。図７は、図５の実施例による磁気ホルダ２００における上蓋２１０とベース２２０の時計回りの回転状態を示す分解斜視図である。図６及び図７の実施例において、上蓋２１０は、複数のスナップ部材２１６を更に含み、ベース２２０は、複数のファスナー２２４を更に含み、ベース２２０の脱落を防止するようにスナップ部材２１６がファスナー２２４に係合される。また、スロープ２２２は、スロープ２２２の両端に設けられるそれぞれ第１のブロッキングブロック２２５ａ及び第２のブロッキングブロック２２５ｂである２つのブロッキングブロック２２５を有し、第１のブロッキングブロック２２５ａが第２のブロッキングブロック２２５ｂよりも高く設けられ、２つの固定スプリングポスト２２３は、それぞれ第１のブロッキングブロック２２５ａに対応する第１の固定スプリングポスト２２３ａ、及び第２のブロッキングブロック２２５ｂに対応する第２の固定スプリングポスト２２３ｂである。
【００３６】
図６及び図７の実施例から分かるように、上蓋２１０を反時計回りに回転させる場合、固定ポスト２１４はスロープ２２２に沿って下方に摺動し、第２のブロッキングブロック２２５ｂに触ると止まり、スプリングポスト２１５は固定ポスト２１４に従って移動し第２の固定スプリングポスト２２３ｂと第２のブロッキングブロック２２５ｂとの間に入り、且つ第２の固定スプリングポスト２２３ｂに固定される。反対に、上蓋２１０を時計回りに回転させる場合、固定ポスト２１４はスロープ２２２に沿って上方に摺動し、第１のブロッキングブロック２２５ａに触ると止まり、且つスプリングポスト２１５は固定ポスト２１４に従って移動し第１の固定スプリングポスト２２３ａと第１のブロッキングブロック２２５ａとの間に入り、且つ第１の固定スプリングポスト２２３ａに固定される。しかしながら、磁気ホルダ２００は、反時計回り回転又は時計回りに回転の何れも状態でも、吸着状態であり、詳しい作動形態については、以下の通りである。また、図６及び図７の実施例において、固定ポスト２１４、スプリングポスト２１５及びスロープ２２２の何れも４つであるが、その数及び接続関係は本開示内容に限定されない。
【００３７】
図８及び図９を参照されたい。図８は、図６の実施例の磁気ホルダ２００を示す断面図であり、図９は、図７の実施例の磁気ホルダ２００を示す断面図である。図８及び図９の実施例から分かるように、中心磁石２３０とリング磁石２７０との間の磁力が平衡状態にある場合、中心磁石２３０は、やや上方寄りにリング磁石２７０の中空空間に位置し、且つ反時計回り回転又は時計回り回転を問わず、何れも中心磁石２３０とリング磁石２７０との間の平衡状態を破壊するので、平衡状態を回復するために、中心磁石２３０はリング磁石２７０と磁気的に釣り合う位置に移動し、更にストッパ部材２４０を下方へ移動するように連動させて空気流通路２６１を遮断して、空気を通気口２５１から排出させ、吸盤２５０が真空状態となり、支持平面に吸着される。しかしながら、反時計回り又は時計回り回転によって磁気ホルダ２００の支持平面に対する吸着力を変えることができる。
【００３８】
また、支持平面に吸着される磁気ホルダ２００を支持平面から分離する必要があると、上蓋２１０を垂直上向きに持ち上げ、この場合、ストッパ部材２４０のフック２４１が回転凸部２１１の複数の凹溝２１２に係合されて、ストッパ部材２４０を上蓋２１０と共に持ち上げるように連動して、ストッパ部材２４０とサポート２６０とを分離させ、空気が空気流通路２６１を介して通気口２５１に流入し、結果として吸盤２５０がこれで吸着能力を失い、磁気ホルダ２００が支持平面から分離される。
【００３９】
これにより、本考案の磁気ホルダ２００は中心磁石２３０及びリング磁石２７０の間の作用力により、ストッパ部材２４０を下向きに空気流通路２６１を遮断して、磁気ホルダ２００に吸着力を持たせ、如何なる支持平面にも吸着可能にさせ、且つ反時計回り又は時計回り回転によって、異なる吸着力を生じさせることができる。この作動形態は磁気ホルダ２００を壁に吸着させることに適用でき、磁気ホルダ２００が吸着力が弱すぎて落ちることを防止する。
【００４０】
要するに、本考案の磁気ホルダは、上蓋を回転させ及び上下に移動させることで、磁気ホルダを支持平面に吸着させ又はそれから分離させ、その最上層にカップホルダ、フック又は様々な固定する必要がある物体を設けてよく、また磁気ホルダの内部のリング磁石により、その上蓋の一側に磁気を持たせ、磁気物質を吸着できる。これにより、本考案の磁気ホルダはユーザーのニーズを満たし、幅広い適用を提供することができる。
【００４１】
本考案では実施形態を前述の通り開示したが、これらは本考案を限定するものではなく、該分野の技術を熟知しているものであれば、本考案の精神と領域を離脱しない範囲内で、多様の変動や修正を加えることができ、従って本考案の保護範囲は、実用新案登録請求の範囲で指定した内容を基準とする。
【符号の説明】
【００４２】
１００、２００：磁気ホルダ
１１０、２１０：上蓋
１１１、２１１：回転凸部
１１２、２１２：凹溝
１１３：環状凹部
２１４：固定ポスト
２１５：スプリングポスト
２１６：スナップ部材
１２０、２２０：ベース
１２１、２２１：開口部
２２２：スロープ
２２３：固定スプリングポスト
２２３ａ：第１の固定スプリングポスト
２２３ｂ：第２の固定スプリングポスト
２２４：ファスナー
２２５：ブロッキングブロック
２２５ａ：第１のブロッキングブロック
２２５ｂ：第２のブロッキングブロック
１３０、２３０：中心磁石
１４０、２４０：ストッパ部材
１４１、２４１：フック
１５０、２５０：吸盤
１５１、２５１：通気口
１５２、２５２：吸盤サポート
１６０、２６０：サポート
１６１、２６１：空気流通路
１７０、２７０：リング磁石
１８０、２８０：最上層
【図１】
0003229796.tif 000003
【図２】
0003229796.tif 000004
【図３】
0003229796.tif 000005
【図４】
0003229796.tif 000006
【図５】
0003229796.tif 000007
【図６】
0003229796.tif 000008
【図７】
0003229796.tif 000009
【図８】
0003229796.tif 000010
【図９】
0003229796.tif 000011
【手続補正書】
【提出日】令和2年9月30日(2020.9.30)
【手続補正１】
【補正対象書類名】実用新案登録請求の範囲
【補正対象項目名】全文
【補正方法】変更
【補正の内容】
【実用新案登録請求の範囲】
【請求項１】
中心に位置する回転凸部を含む上蓋と、
前記上蓋が上下に摺動可能に組み立てられ、且つ中心に開口部があるベースと、
前記回転凸部内に同軸に配置されるように位置限定される中心磁石と、
上下に摺動可能に前記中心磁石と同軸に配置され、且つ前記中心磁石と前記上蓋との間に位置するストッパ部材と、
前記ベースの他側に設けられ、中心に通気口がある吸盤と、
前記ストッパ部材と同軸に配置され、前記ストッパ部材と前記吸盤との間に位置し、且つ中心に前記通気口と連通し前記ストッパ部材に接続される空気流通路が開設されるサポートと、
前記上蓋の一側に設けられ、且つ前記中心磁石と同心に配置されるリング磁石と、
を備える磁気ホルダ。
【請求項２】
前記ストッパ部材は、複数のフックを有する請求項１に記載の磁気ホルダ。
【請求項３】
前記吸盤は、前記吸盤の中心に設けられ、前記吸盤を前記上蓋に位置決めし且つ前記サポートに接続されるための吸盤サポートを含む請求項１に記載の磁気ホルダ。
【請求項４】
前記回転凸部は、前記ストッパ部材の前記フックを前記回転凸部に係合させるための複数の凹溝を含む請求項２に記載の磁気ホルダ。
【請求項５】
前記上蓋は、前記回転凸部と同心に配置され、且つ前記リング磁石を位置限定して設けるための環状凹部を更に含む請求項１に記載の磁気ホルダ。
【請求項６】
前記リング磁石の上方に設けられる最上層を更に備える請求項１に記載の磁気ホルダ。
【請求項７】
上蓋の中心に位置する回転凸部と、前記回転凸部を囲んで前記上蓋の周縁に設けられる少なくとも１つの固定ポストと、前記上蓋の周縁に設けられ且つ前記少なくとも１つの固定ポストに接続され、前記少なくとも１つの固定ポストと前記回転凸部との間に位置する少なくとも１つのスプリングポストと、を含む上蓋と、
開口部を囲んでベースの周縁に設けられる少なくとも１つのスロープと、前記ベースの周縁に設けられ且つ前記少なくとも１つのスロープと前記開口部との間に位置する少なくとも２つの固定スプリングポストと、を含み、前記上蓋が上下に摺動可能に組み立てられ、且つ中心に前記開口部がある前記ベースと、
前記回転凸部内に同軸に配置されるように位置限定される中心磁石と、
上下に摺動可能に前記中心磁石と同軸に配置され、且つ前記中心磁石と前記上蓋との間に位置するストッパ部材と、
前記ベースの他側に設けられ、中心に通気口がある吸盤と、
前記ストッパ部材と同軸に配置され、前記ストッパ部材と前記吸盤との間に位置し、且つ中心に前記通気口と連通し前記ストッパ部材を接続する空気流通路が開設されるサポートと、
前記上蓋の一側に設けられ、且つ前記中心磁石と同心に配置されるリング磁石と、
を備える磁気ホルダ。
【請求項８】
前記ストッパ部材は、複数のフックを有する請求項７に記載の磁気ホルダ。
【請求項９】
前記吸盤の中心に設けられ、前記吸盤を前記上蓋に位置決めし且つ前記サポートに接続されるための吸盤サポートを含む請求項７に記載の磁気ホルダ。
【請求項１０】
前記回転凸部は、前記ストッパ部材の前記フックを前記回転凸部に係合させるための複数の凹溝を含む請求項８に記載の磁気ホルダ。
【請求項１１】
前記上蓋は、前記回転凸部と同心に配置され、且つ前記リング磁石を位置限定して設けるための環状凹部を更に含む請求項７に記載の磁気ホルダ。
【請求項１２】
前記リング磁石の上方に設けられる最上層を更に備える請求項７に記載の磁気ホルダ。
【請求項１３】
前記少なくとも１つのスロープは、その両端に設けられる２つのブロッキングブロックを有する請求項７に記載の磁気ホルダ。